(57)【要約】【課題】本発明は、電気製品を介して管理又は処理される対象物の管理又は処理を効率的に行えるようにするネットワークシステムを提供することを目的とする。【解決手段】本発明の実施例によるネットワークシステム（１）には、対象物を管理又は処理するために作動される電気製品（１０）と、対象物に関する情報を含む認識対象に記載された情報を認識するために作動される認識装置（１６０）と、認識装置で認識された情報を記憶し、対象物の管理又は処理が行われるようにする記憶装置（４０、１４０、２４０）と、認識装置で認識された情報を設定情報に変換するために作動される設定部と、設定部で変換された設定情報を表示するためのディスプレイ部（２０、１２０）と、が含まれる。【選択図】図１
2012226748.tif 000002
【特許請求の範囲】
【請求項１】
対象物を管理又は処理するために作動される電気製品と、
前記対象物に関する情報を含む認識対象に記載された情報を認識するために作動される認識装置と、
前記認識装置で認識された情報を記憶し、前記対象物の管理又は処理が行われるようにする記憶装置と、
前記認識装置で認識された情報を設定情報に変換するために作動される設定部と、
前記設定部で変換された設定情報を表示するためのディスプレイ部と、が含まれるネットワークシステム。
【請求項２】
前記電気製品と通信可能に連結され、前記認識装置を具備する端末機と、
前記端末機又は電気製品と通信可能に連結され、前記認識された情報又は設定情報を記憶するサーバと、が含まれる、請求項１に記載のネットワークシステム。
【請求項３】
前記対象物に関する情報には約束された情報が含まれ、
前記約束された情報には、予め設定された文字、記号、形状、色相及び図案のうち少なくとも一つが含まれる、請求項１に記載のネットワークシステム。
【請求項４】
前記対象物に関する情報には暗号化情報が含まれ、
前記暗号化情報には、バーコード、ＲＦＩＤタグ及びＱＲコードのうち少なくとも一つが含まれる、請求項１に記載のネットワークシステム。
【請求項５】
前記認識対象には、
購買した対象物の明細が記載される領収書と、
前記対象物を収容する対象物容器と、が含まれる、請求項１に記載のネットワークシステム。
【請求項６】
前記ディスプレイ部には、予め設定された設定領域を認識領域として規定するためのフレームが表示され、
前記認識対象に記載された対象物に関する情報のうち、特定領域に記載された情報を前記フレーム内で認識する、請求項１に記載のネットワークシステム。
【請求項７】
前記認識装置には、
前記認識対象に記載された画像情報を獲得するために作動されるカメラ、バーコードリーダ及びＲＦＩＤリーダのうち少なくとも一つが含まれる、請求項１に記載のネットワークシステム。
【請求項８】
前記記憶装置には、
前記認識装置で認識された情報以外に、
前記対象物の管理又は処理のために追加的に認識される追加情報が更に記憶される、請求項１に記載のネットワークシステム。
【請求項９】
前記追加情報は手動で入力されるか、前記認識装置によって自動的に認識される、請求項８に記載のネットワークシステム。
【請求項１０】
前記電気製品は冷蔵庫であり、前記対象物は食品である、請求項１に記載のネットワークシステム。
【請求項１１】
前記電気製品は洗濯機であり、前記対象物は衣類である、請求項１に記載のネットワークシステム。
【請求項１２】
前記電気製品は調理機器であり、前記対象物は材料である、請求項１に記載のネットワークシステム。
【請求項１３】
前記認識装置は前記電気製品に具備される、請求項１に記載のネットワークシステム。
【請求項１４】
前記設定部は、前記認識対象で認識された画像情報をテキスト情報に変換する、請求項１に記載のネットワークシステム。
【請求項１５】
認識装置と、ディスプレイ部と、制御部と、記憶装置と、が含まれるネットワークシステムの制御方法であって、
前記認識装置が、対象物に関する情報が記載された画像情報を獲得する段階と、
前記認識装置が、獲得された画像情報から、前記対象物の管理又は処理のために必要な情報を認識する段階と、
前記ディスプレイ部が、前記必要な情報を表示する段階と、
表示された情報を前記対象物の管理又は処理のために含めるか否かが決定される段階と、
前記制御部が、その決定結果を含む情報を前記記憶装置に記憶する段階が含まれる、ネットワークシステムの制御方法。
【請求項１６】
前記ネットワークシステムには、設定部が更に含まれ、
前記設定部が、前記獲得された画像情報から前記対象物の管理又は処理のために必要な情報を抽出する段階が更に含まれる、請求項１５に記載のネットワークシステムの制御方法。
【請求項１７】
前記認識装置が、前記獲得された画像情報に対応して、前記対象物の管理又は処理のために必要な追加情報を認識する段階が更に含まれる、請求項１５に記載のネットワークシステムの制御方法。
【請求項１８】
前記ディスプレイ部が、前記必要な情報をテキストとして表示する、請求項１５に記載のネットワークシステムの制御方法。
【発明の詳細な説明】
【技術分野】
【０００１】
本発明は、ネットワークシステム及びその制御方法に関するものである。
【背景技術】
【０００２】
一般的に、電気製品は電気を動力源として特定対象物を管理又は処理するための装置として理解され得る。
【０００３】
従来の電気製品によると、特定対象物の管理情報又は処理情報などを使用者が一々記憶するか検索しなければならないという不便があった。
【０００４】
一例として、電気製品が冷蔵庫である場合、使用者が冷蔵庫に貯蔵される食品の管理情報（保管量又は賞味期限情報など）を記憶しておかないと、賞味期限が切れる寸前の食品を消費するか、保管量がわずかな食品に対する購買計画を立てることができないという不便があった。
【０００５】
電気製品が洗濯機である場合、使用者が洗濯物を洗濯する前に洗濯物の材質又は洗濯方法などを一々確認して洗濯機を作動させなければならないという不便があった。
【０００６】
電気製品が調理機器である場合、使用者が調理する前に食品の調理方法を一々確認して調理機器を作動させなければならないという不便があった。
【発明の概要】
【発明が解決しようとする課題】
【０００７】
本発明は、上述した問題点を解決するために電気製品を介して管理又は処理される対象物に関する情報を容易に認識することで、対象物の管理又は処理を効率的に行えるようにするネットワークシステムを提供することを目的とする。
【課題を解決するための手段】
【０００８】
本発明の実施例によるネットワークシステムには、対象物を管理又は処理するために作動される電気製品と、前記対象物に関する情報を含む認識対象に記載された情報を認識するために作動される認識装置と、前記認識装置で認識された情報を記憶し、前記対象物の管理又は処理が行われるようにする記憶装置と、前記認識装置で認識された情報を設定情報に変換するために作動される設定部と、前記設定部で変換された設定情報を表示するためのディスプレイ部と、が含まれる。
【０００９】
本発明の実施例による、認識装置と、ディスプレイ部と、制御部と、記憶装置と、が含まれるネットワークシステムの制御方法には、前記認識装置が、対象物に関する情報が記載された画像情報を獲得する段階と、前記認識装置が、獲得された画像情報から前記対象物の管理又は処理のために必要な情報を認識する段階と、前記ディスプレイ部が、前記必要な情報を表示する段階と、表示された情報を前記対象物の管理又は処理のために含めるか否かが決定される段階と、前記制御部が、その決定結果を含む情報を前記記憶装置に記憶する段階と、が含まれる。
【発明の効果】
【００１０】
提案される実施例によると、電気製品に使用される特定の対象物に関する情報を確認でき、確認された内容に応じて特定の対象物の管理又は処理が効率的に行われるという長所がある。
【００１１】
電気製品又は端末機に認識装置が具備され、領収書、食品容器に記載された情報又は暗号化された情報を認識することができるため、特定の対象物に関する情報認識が容易に行われるという長所がある。
【００１２】
また、認識装置によって認識された情報に基づき、電気製品の特性に合わせて対象物を管理又は処理することができるため、対象物の管理又は処理エラーを減らすことができるという効果がある。
【００１３】
また、使用者が記憶に依存するか別途の認識作業を行わなくても、対象物に関する情報が電気製品又は端末機などに認識され得るため、使用上の利便性が増大され得るという効果がある。
【図面の簡単な説明】
【００１４】
【図１】本発明の第１実施例によるネットワークシステムの構成を示す図である。
【図２】本発明の第１実施例によるネットワークシステムの構成を示すブロック図である。
【図３】本発明の第１実施例による端末機と認識対象の作用様態を示すブロック図である。
【図４】本発明の第１実施例による認識対象の構成を示すブロック図である。
【図５】本発明の第１実施例によって、認識対象が領収書である場合の端末機のディスプレイ部の構成を示す図である。
【図６】本発明の第１実施例による認識装置の作動方法を示すフローチャートである。
【図７】本発明の第１実施例によって、認識対象が食品容器である場合の端末機のディスプレイ部の構成を示す図である。
【図８】本発明の第２実施例による冷蔵庫と認識対象の作用様態を示すブロック図である。
【図９】本発明の第３実施例による洗濯機と認識対象の作用様態を示すブロック図である。
【発明を実施するための形態】
【００１５】
以下では、図面を参照して本発明の実施例について具体的に説明する。
【００１６】
図１は、本発明の第１実施例によるネットワークシステムの構成を示す図であり、図２は、本発明の第１実施例によるネットワークシステムの構成を示すブロック図である。
【００１７】
図１及び図２を参照すると、本発明の第１実施例によるネットワークシステム１には、電気製品として冷気を発生して対象物（食品）を貯蔵する冷蔵庫１０と、冷蔵庫１０に通信可能に連結されて食品に関する情報を認識する端末機１００と、冷蔵庫１０及び端末機１００と通信可能に連結されて所定データを記憶するサーバ２００が含まれる。
【００１８】
端末機１００には、冷蔵庫１０に貯蔵される食品に関して所定の命令を入力する入力部１１０及び食品に関する情報をディスプレイする第１ディスプレイ部１２０が含まれる。一例に、端末機１００は移動可能な携帯電話又はスマートフォンであってもよい。
【００１９】
ネットワークシステム１には、端末機１００とサーバ２００との間に規定される第１インターフェース３１０と、サーバ２００と冷蔵庫１０との間に規定される第２インターフェース３２０と、端末機１００と冷蔵庫１０との間に規定される第３インターフェース３３０が含まれる。
【００２０】
第１乃至第３インターフェース３１０，３２０，３３０には、情報を伝達するための通信方式としてワイファイ（Ｗｉ−Ｆｉ）（登録商標）、ジグビー（ＺｉｇＢｅｅ）（登録商標）、ブルートゥース（Ｂｌｕｅｔｏｏｔｈ）（登録商標）及びインターネット（Ｉｎｔｅｒｎｅｔ）のうち少なくとも一つ通信方式が適用され得る。
【００２１】
具体的には、端末機１００には、冷蔵庫１０又はサーバ２００と通信可能に連結される第１通信部１３０と、第１通信部１３０から伝達される情報又は端末機１００の作動情報が記憶される第１メモリ部１４０と、冷蔵庫１０に貯蔵される食品に関する情報を認識する認識装置１６０及び端末機１００の作動を制御する端末機制御部１５０が含まれる。
【００２２】
サーバ２００には、第１通信部１３０と通信可能に連結される第２通信部２３０及び冷蔵庫１０に貯蔵される食品に関する情報が記憶されるデータベース２４０が含まれる。
【００２３】
冷蔵庫１０には、第１通信部１３０又は第２通信部２３０と通信可能に連結される第３通信部３０と、食品に関する情報がディスプレイされる第２ディスプレイ部２０と、食品に関する情報が記憶される第２メモリ部４０と、冷蔵庫１０の作動を制御する冷蔵庫制御部５０が含まれる。
【００２４】
食品に関する情報には、食品自体の情報又は食品の管理情報が含まれてもよい。食品自体の情報には、食品名、食品量又は食品の個数などが含まれ、食品の管理情報には冷蔵庫内に貯蔵される食品の保管位置、保管期間、保管量又は保管方法などが含まれてもよい。
【００２５】
そして、食品に関する情報は所定の認識対象を介して獲得されてもよい。認識対象には、領収書、食品容器又は暗号化情報が含まれてもよい（図４参照）。
【００２６】
第１メモリ部１４０、第２メモリ部４０又はデータベース２４０には、食品に関する情報が記憶される。そして、第１メモリ部１４０及び第２メモリ部４０のうち一のメモリ部に記憶される情報は、他のメモリ部に同期化（ｓｙｎｃｈｒｏｎｉｚａｔｉｏｎ）されてもよい。ここで、第１メモリ部１４０、第２メモリ部４０及びデータベース２４０を合わせて「記憶装置」と称してもよい。
【００２７】
第１メモリ部１４０及び第２メモリ部４０が同期化される工程において、サーバ２００のデータベース２４０が利用されてもよい。もちろん、端末機１００と冷蔵庫１０が直接通信を行ってメモリ部４０，１４０が同期化されることもある。一例に、端末機１００を介して認識された情報はサーバ２００に伝達されて冷蔵庫１０に転送されてもよく、冷蔵庫１０に直接転送されてもよい。
【００２８】
そして、サーバ２００のデータベース２４０に記憶された情報のうち、端末機１００又は冷蔵庫１０に記憶されていない情報は端末機１００又は冷蔵庫１０に転送されてもよい。即ち、端末機１００又は冷蔵庫１０は、データベース２４０の情報をダウンロード又はアップデートすることができる。
【００２９】
図３は、本発明の第１実施例による端末機と認識対象の作用様態を示すブロック図であり、図４は、本発明の第１実施例による認識対象の構成を示すブロック図である。
【００３０】
図３及び図４を参照すると、本発明の第１実施例による端末機１００には、認識対象４００を認識するための認識装置１６０が含まれる。
【００３１】
認識装置１６０は、認識対象４００に含まれた所定の情報を認識するための装置として理解される。認識装置１６０は、コンシューマブルリーダ（ｃｏｎｓｕｍａｂｌｅ  ｒｅａｄｅｒ）又はコンシューマブルホルダ（ｃｏｎｓｕｍａｂｌｅ  ｈｏｌｄｅｒ）と称されてもよい。ここで、「ｃｏｎｓｕｍａｂｌｅ」は冷蔵庫に貯蔵される食品として理解され、リーダはこのようなコンシューマブルに関する情報を読み取る装置であり、ホルダはその内部に食品を保管（含有）、維持又は支持する装置として理解され得る。
【００３２】
コンシューマブルリーダには、撮影装置（カメラ）、ＲＦＩＤリーダ又はバーコードリーダが含まれてもよく、コンシューマグルホルダには、棚又はバスケットが含まれてもよい。棚又はバスケットには、食品の重さを感知する重量センサが提供されてもよく、重量センサによって食品の重さが読み取られる。ここで、重量センサはコンシューマブルに関する所定の情報を感知するという点からコンシューマブルリーダであってもよく、食品を支持する装置に提供されるという点からコンシューマブルホルダであってもよい。
【００３３】
認識対象４００には、所定の文字、記号、数字、形状、色相又は図案が記載されている領収書４１０が含まれてもよい。文字、記号、形状、色相及び図案を合わせて「約束された情報」と称する。
【００３４】
認識対象４００には、食品を内部に収容する食品容器４２０が更に含まれてもよい。食品容器４２０には、約束された情報が含まれてもよい。
【００３５】
認識対象４００には、所定の規則によって暗号化された暗号化情報４３０が更に含まれてもよい。厳密に言うと、暗号化情報４３０は食品に関する情報として理解され得る。暗号化情報４３０には、バーコード（ｂａｒｃｏｄｅ）、ＱＲコード（登録商標）又はＲＦＩＤタグが含まれる。暗号化情報４３０は、領収書４１０又は食品容器４２０に含まれてもよい。
【００３６】
認識対象４００に記載された情報は、認識装置１６０によって認識され得る。一例に、約束された情報はカメラによって認識されてよく、暗号化情報４３０はカメラ、バーコードリーダ又はＲＦＩＤによって認識されてもよい。
【００３７】
図５は、本発明の第１実施例によって、認識対象が領収書である場合の端末機のディスプレイ部の構成を示す図である。
【００３８】
図５を参照すると、本発明の第１実施例による端末機１００の第１ディスプレイ部１２０には、認識装置１６０によって認識される領収書４１０が表示されてもよい。
【００３９】
第１ディスプレイ部１２０には、認識装置１６０によって獲得された画像（イメージ）を表示するイメージ表示部１２１及びイメージ表示部１２１に関する情報をテキストで表示するテキスト表示部１２５が含まれる。
【００４０】
認識装置１６０、一例にカメラの電源を入れた状態でカメラを領収書４１０の上に置くと、イメージ表示部１２１にはカメラによって認識されるイメージが表示される。
【００４１】
イメージ表示部１２１には、領収書４１０に記載された多数の情報のうち少なくとも一つの情報を認識するために設定される認識領域１２２及び認識領域１２２を特定領域に規定するためのフレーム１２３が含まれる。フレーム１２３は、認識領域１２２を規定するために認識領域１２２の枠部に四角状で記載される所定の記号として理解され得る。
【００４２】
使用者は、端末機１００を適正位置に移動させ、フレーム１２３を領収書４１０に記載された特定情報の位置に対応させてもよい。即ち、特定情報が記載された領域を認識領域１２２にマッチングさせてもよい。
【００４３】
このようなマッチングの後、確認入力部１２９を押すか設定時間が経過すると、認識領域１２２に記載された特定情報、一例に「約束された情報」を認識する。そして、認識された情報（イメージ）を解釈して食品の管理のために必要な情報を抽出し、これをテキスト表示部１２５に表示する。第１メモリ部１４０又はデータベース２４０には、認識された情報が記憶されてもよい。
【００４４】
そして、認識された情報を解釈するために、端末機１００又はサーバ２００には「情報認識プログラム」が内蔵されてもよい。情報認識プログラムは、認識された情報（イメージ）を解釈し、認識された情報に対応する「食品に関する情報」に変換する。
【００４５】
変換された「食品に関する情報」は、テキスト表示部１２５に表示されてもよい。表示される情報には、食品自体の情報（食品名、食品量など）又は食品の管理情報（賞味期限など）が含まれてもよい。もちろん、領収書４１０から認識された食品に関して、食品自体の情報又は食品の管理情報は第１メモリ部１４０又はデータベース２４０に予め記憶されていてもよい。
【００４６】
図６は、本発明の第１実施例による認識装置の作動方法を示すフローチャートである。図６を参照して、本発明の第１実施例による認識装置の作動方法を説明する。
【００４７】
端末機１００を操作して認識装置１６０の作動を準備する（Ｓ１１）。第１ディスプレイ部１２０を介して認識対象１４０を確認する（Ｓ１２）。フレーム１２３を介して認識領域１２２をフォーカシングし、認識作動、一例にカメラの撮影作動を行い、イメージを獲得（認識）する（Ｓ１３）。
【００４８】
そして、情報認識プログラムを利用して認識されたイメージ（画像）を解釈し、解釈された情報に基づいてイメージをテキストに変換する。（Ｓ１４，Ｓ１５）。
【００４９】
変換されたテキストはテキスト表示部１２５にディスプレイされ、第１メモリ部１４０又はデータベース２４０に記憶される。そして、変換されたテキストに関する情報は、冷蔵庫１０に同期化されて第２ディスプレイ部２０に表示され得る（Ｓ１６）。
【００５０】
第１メモリ部１４０又はデータベース２４０に記憶された情報は冷蔵庫１０の第２メモリ部４０に同期化されてもよく、食品の管理情報として利用されてもよい（Ｓ１７）。一例に、認識装置１６０の制御を介して冷蔵庫１０に貯蔵される食品情報を認識した場合、認識された情報は端末機１００、冷蔵庫１０又はサーバ２００に記憶されてもよい。
【００５１】
詳しくは、認識された情報に関する食品を冷蔵庫１０の管理対象に含めると決定されると、例えば、冷蔵庫１０又は端末機１００の入力部に所定命令が入力されると、決定された情報は第１メモリ部１４０、第２メモリ部４０又はデータベース２４０に記憶されてもよい。
【００５２】
食品が冷蔵庫に貯蔵（入庫）される工程において、食品の貯蔵位置又は保管期間に関する情報が追加で認識（手動入力又は自動認識）されてもよく、追加で認識された情報は該当食品に関して記憶されてもよい。ここで、自動認識は、コンシューマブルリーダ又はコンシューマグルホルダのうち少なくとも一つの装置によって行われてもよい。
【００５３】
一方、食品が冷蔵庫から出庫される工程において、認識された情報又は追加で認識された情報は第１ディスプレイ部１２０又は第２ディスプレイ部２０に表示されてもよい。そして、食品が冷蔵庫から完全に出庫された場合、認識された情報又は追加で認識された情報は削除され得る。
【００５４】
このように、認識装置１６０で認識及び記憶された情報は、食品の管理のために利用され得る。そして、端末機１００は冷蔵庫１０に貯蔵された食品の管理のため、遠隔モニタリング又は遠隔制御を行ってもよい。
【００５５】
図７は、本発明の第１実施例によって、認識対象が食品容器である場合の端末機のディスプレイ部の構成を示す図である。
【００５６】
図７を参照すると、本発明の第１実施例による第１ディスプレイ部１２０には認識対象として食品容器４２０が認識され、該当食品に関する情報がディスプレイされてもよい。
【００５７】
詳しくは、第１ディスプレイ部１２０には食品容器４２０のイメージが表示されるイメージ表示部１２１及び認識されたイメージ（画像）からテキストに変換された食品関連情報が表示されるテキスト表示部１２５が含まれる。
【００５８】
食品容器４２０には、該当食品に関する情報、一例に商標４２５が含まれる。詳しくは、商標４２５には、所定の文字で表示されるテキスト部４２５ａ及び所定の色相又はデザインで具現される図案部４２５ｂが含まれる。一例に、テキスト部４２５ａには食品名に関する情報が含まれ、図案部４２５ｂには該当食品のロゴ又は製造者のロゴが含まれてもよい。
【００５９】
図５で説明したように、端末機１００を利用してフレーム１２３を食品容器４２０に位置させ、認識領域１２２を規定する。そして、設定時間が経過した後又は確認入力部１２９を押すと認識作動（撮影）が行われ、認識領域１２２内にある情報４２５ａ、４２５ｂが認識される。
【００６０】
認識された情報は、情報認識プログラムを介して解釈され得る。この際、データベース２４０、第１メモリ部１４０又は第２メモリ部４０には商標４２５に関するデータが予め記憶されていてもよい。即ち、認識されたイメージと予め記憶されたイメージがマッチングされ、該当食品を判別し得る。
【００６１】
この際、テキスト４２５ａ及び図案部４２５ｂに記載された情報、即ち、複数の情報が組み合わされて認識されるため、食品の判別結果に対する信頼性が向上され得る。即ち、テキスト部４２５ａに記載された情報のみ解釈される場合、これと類似した他の食品に関する情報がマッチングされ得るのに対し、テキスト部４２５ａ及び図案部４２５ｂに記載された情報を全て解釈する場合、該当食品のマッチング可能性が増加することになる。
【００６２】
食品に関して、解釈又は判別された結果はテキストとして変換されてテキスト表示部１２５に表示される。
【００６３】
そして、認識された情報４２５ａ、４２５ｂ又は解釈された結果情報は第１メモリ部１４０、第２メモリ部４０又はデータベース２４０に記憶され、記憶された食品に関する情報は冷蔵庫の食品管理のために利用され得る。
【００６４】
一方、端末機１００は認識対象として暗号化情報４３０を認識し得る。上述したように、暗号化情報４３０にはバーコード、ＱＲコード又はＲＦＩＤタグが含まれる。暗号化情報４３０は、領収書４１０又は食品容器４２０に提供されてもよい。
【００６５】
暗号化情報４３０を認識するために、認識装置１６０にはカメラ又は所定のリーダが含まれてもよい。
【００６６】
認識装置１６０を利用して暗号化情報４３０を認識し、認識された情報に基づいて特定の食品に関する情報が認識され得る。第１メモリ部１４０、第２メモリ部４０又はデータベース２４０には、暗号化情報４３０とそれに対応する食品に関する情報が予め記憶されていてもよい。
【００６７】
特定食品に関する情報は、端末機１００又は冷蔵庫１０に表示されてもよい。そして、特定食品を冷蔵庫１０の管理対象として含める場合、認識装置１６０で認識された情報は特定食品に関する追加情報と共に冷蔵庫１０の食品管理のために利用され得る。
【００６８】
以下では、本発明の第２実施例と第３実施例に対して説明する。第１実施例と同じ部分に対しては、第１実施例の図面符号と説明を援用する。
【００６９】
図８は、本発明の第２実施例による冷蔵庫と認識対象の作用様態を示すブロック図である。
【００７０】
図８を参照すると、本発明の第２実施例による冷蔵庫１０には、認識対象４００を認識するために作動される認識装置２６０が具備される。一例に、冷蔵庫１０には、カメラ、バーコードリーダ又はＲＦＩＤリーダが含まれてもよい。即ち、別途の端末機１００を利用せず、冷蔵庫１０に具備される認識装置２６０を利用して直接認識対象４００に含まれた情報を認識することができる。そして、認識された情報に基づいて、冷蔵庫に貯蔵される食品の管理を行うことができる。
【００７１】
もちろん、認識された食品に関する情報はサーバ２００又は端末機１００に記憶されてもよい。そして、端末機１００は冷蔵庫１０に貯蔵された食品の管理のために遠隔モニタリング又は遠隔制御を行ってもよい。
【００７２】
図９は、本発明の第３実施例による洗濯機と認識対象の作用様態を示すブロック図である。
【００７３】
図９を参照すると、本発明の第３実施例によるネットワークシステム１には、電気製品として対象物（衣類）を処理（洗濯、脱水、乾燥など）するのに使用される洗濯機５００が含まれる。図面には示されていないが、洗濯機５００は図１で説明した端末機１００又はサーバ２００に通信可能に連結されてもよい。
【００７４】
洗濯機５００には、洗濯の対象である衣類に関する情報（以下、衣類情報）及び衣類に関する情報に対応する処理コースに関する情報（以下、コース情報）などが記憶されるメモリ部５４０と、洗濯機５００の作動状態、衣類情報又はコース情報などがディスプレイされるディプレイ部５２０及び洗濯機の作動を制御する洗濯機制御部５５０が含まれる。
【００７５】
そして、洗濯機５００には、認識対象４００を認識するための認識装置５６０が更に含まれる。認識装置５６０の種類又はその機能に関する説明は、第１実施例の説明を援用する。
【００７６】
認識装置５６０が認識する認識対象４００には、衣類の購買情報が含まれる領収書４１０、衣類が内部に収容される衣類容器４４０、衣類に具備されて衣類の処理情報が含まれる洗濯情報４５０及び衣類に関する情報を所定の暗号で示す暗号化情報４３０が含まれる。
【００７７】
認識対象４００には、洗濯機が処理する衣類に関する情報が表示される。衣類に関する情報には、衣類自体に関する情報又は衣類の処理に関する情報が含まれる。一例に、衣類自体に関する情報には衣類の構成物又は衣類の材質に関する情報が含まれ、衣類の処理に関する情報には衣類の洗濯情報、脱水情報又は乾燥情報などが含まれてもよい。
【００７８】
衣類に関する情報は、第１実施例で説明した「約束された情報」（文字、記号、数字、形状、色相又は図案）又は暗号化された記号などで表示されてもよい。このような約束された情報又は暗号化された記号などは、領収書４１０、衣類容器４４０、洗濯情報４５０及び暗号化情報４３０に表示されてもよい。
【００７９】
そして、表示された衣類に関する情報が衣類の処理情報として決定されると（一例に、確認入力部の入力）、決定された情報はメモリ部５４０に記憶されてもよい。
【００８０】
認識装置５６０を介して衣類に関する情報が認識されると、認識された情報はディスプレイ部５２０又は端末機１００のディスプレイ部に表示されてもよい。使用者は、ディスプレイ部に表示された情報を確認することができる。
【００８１】
そして、多様な認識方法（手動入力、自動認識）によって衣類処理に関する追加情報が認識され得る。一例に、衣類に関して認識された情報がウール（ｗｏｏｌ）素材のニットである場合、洗濯方法（洗濯水の温度、洗剤投入の可否、洗剤量又は脱水強度）に対する追加情報が認識され得る。
【００８２】
使用者が洗濯方法のうち少なくとも一つを選択してもよく、認識された衣類情報に基づいて洗濯機制御部５５０が適切な洗濯方法を推奨してもよい。
【００８３】
このように、衣類に関する情報が認識装置５６０によって認識され、認識された情報が衣類の処理情報として利用され得るため、使用者の利便性が増大されると共に間違った処理方法によって洗濯機を作動させるという問題点を防止することができる。
【００８４】
他の実施例を提案する。
【００８５】
電気製品として調理機器が提案され得る。調理機器によって調理される材料が対象物として理解され得る。そして、材料の購買明細を記載した領収書又は材料を収容する調理容器が認識対象となり得る。
【００８６】
第１、第２実施例で説明した方法で材料に関する情報が認識されてもよく、認識された情報に基づいて調理機器の作動（材料の処理）が行われてもよい。
【００８７】
そして、調理機器の作動のために材料に関する追加情報の認識が可能であり、認識された追加情報に基づいて調理機器の作動コースなどが選択又は推奨されてもよい。
【図１】
2012226748.tif 000003
【図２】
2012226748.tif 000004
【図３】
2012226748.tif 000005
【図４】
2012226748.tif 000006
【図５】
2012226748.tif 000007
【図６】
2012226748.tif 000008
【図７】
2012226748.tif 000009
【図８】
2012226748.tif 000010
【図９】
2012226748.tif 000011